(57)【要約】【課題】電子日誌の写真が撮影された場所や時間に関する情報の正確性や信頼性を向上させることを目的とする。【解決手段】例えば、ユーザが旅行先などで電子日誌１０３に入れる写真１０２を撮影する場合、ユーザは、端末装置２００を用いて、（１）認証コードを認証センタ装置３００から取得し、（２）写真１０２を撮影し、（３）写真１０２に認証コードを付加して認証コード付き写真１０２を作成し、アーカイブサーバ装置４００に保存する。その後、ユーザは、（４）電子日誌１０３に文章を入力する。その後、ユーザは、電子日誌管理装置５００を用いて、（５）認証コード付き写真１０２をアーカイブサーバ装置４００から電子日誌にコピーし、（６）電子日誌１０３に含まれる写真１０２から位置時刻検証画面１０４にリンクし、（７）電子日誌ＡＳＰサーバ１０７に電子日誌１０３を保存する。【選択図】図１
2008009655.tif 000002
【特許請求の範囲】
【請求項１】
写真を撮影して送信する端末装置と、前記写真が撮影された時刻及び位置を認証する認証データを生成する認証センタ装置と、前記端末装置により送信された写真を受信し、当該写真と前記認証センタ装置により生成された認証データとを対応付けて記憶するアーカイブサーバ装置とを備える電子日誌管理システムとネットワークを介して接続される電子日誌管理装置であって、
時期を指定する時期データと場所を指定する場所データと前記認証データとのいずれかを入力装置により入力する管理入力部と、
前記管理入力部により入力されたデータを、前記ネットワークを介して送信する管理送信部と、
前記アーカイブサーバ装置が、前記管理送信部により送信されたデータを受信し、当該データに対応する写真と認証データとを抽出し、当該写真と当該認証データが認証する時刻及び位置を示す時刻位置データとを送信した場合に、前記アーカイブサーバ装置により送信された写真と時刻位置データとを、前記ネットワークを介して受信する管理受信部と、
前記管理受信部により受信された写真と時刻位置データとを記憶装置に記憶する管理記憶部と、
前記管理記憶部により記憶された写真と時刻位置データとを出力装置により出力する管理出力部とを有することを特徴とする電子日誌管理装置。
【請求項２】
写真を撮影して送信する端末装置と、前記写真が撮影された時刻及び位置を認証する認証データを生成する認証センタ装置と、前記端末装置により送信された写真を受信し、当該写真と前記認証センタ装置により生成された認証データとを対応付けて記憶するアーカイブサーバ装置とを備える電子日誌管理システムとネットワークを介して接続されるコンピュータに実行させる電子日誌管理プログラムであって、
コンピュータが有する管理入力部が、時期を指定する時期データと場所を指定する場所データと前記認証データとのいずれかを入力装置により入力する管理入力ステップと、
コンピュータが有する管理送信部が、前記管理入力ステップにより入力されたデータを、前記ネットワークを介して送信する管理送信ステップと、
前記アーカイブサーバ装置が、前記管理送信ステップにより送信されたデータを受信し、当該データに対応する写真と認証データとを抽出し、当該写真と当該認証データが認証する時刻及び位置を示す時刻位置データとを送信した場合に、コンピュータが有する管理受信部が、前記アーカイブサーバ装置により送信された写真と時刻位置データとを、前記ネットワークを介して受信する管理受信ステップと、
コンピュータが有する管理記憶部が、前記管理受信ステップにより受信された写真と時刻位置データとを記憶装置に記憶する管理記憶ステップと、
コンピュータが有する管理出力部が、前記管理記憶ステップにより記憶された写真と時刻位置データとを出力装置により出力する管理出力ステップとをコンピュータに実行させることを特徴とする電子日誌管理プログラム。
【請求項３】
写真を撮影して送信する端末装置と、前記写真が撮影された時刻及び位置を認証する認証データを生成する認証センタ装置と、時期を指定する時期データと場所を指定する場所データと前記認証データとのいずれかを入力して送信する電子日誌管理装置とを備える電子日誌管理システムとネットワークを介して接続されるアーカイブサーバ装置であって、
前記端末装置により送信された写真を、前記ネットワークを介して受信する第１のサーバ受信部と、
前記第１のサーバ受信部により受信された写真と前記認証センタ装置により生成された認証データとを対応付けて記憶装置に記憶するサーバ記憶部と、
前記電子日誌管理装置により送信されたデータを、前記ネットワークを介して受信する第２のサーバ受信部と、
前記第２のサーバ受信部により受信されたデータに対応する写真と認証データとを前記記憶装置から抽出する抽出部と、
前記抽出部により抽出された写真と前記抽出部により抽出された認証データが認証する時刻及び位置を示す時刻位置データとを、前記ネットワークを介して前記電子日誌管理装置に送信するサーバ送信部とを有することを特徴とするアーカイブサーバ装置。
【請求項４】
前記抽出部は、前記第２のサーバ受信部により前記時期データが受信された場合に、当該時期データが示す時期に対応する時刻を認証する認証データに対応する写真を抽出することを特徴とする請求項３に記載のアーカイブサーバ装置。
【請求項５】
前記抽出部は、前記第２のサーバ受信部により前記場所データが受信された場合に、当該場所データが示す場所に対応する位置を認証する認証データに対応する写真を抽出することを特徴とする請求項３に記載のアーカイブサーバ装置。
【請求項６】
写真を撮影して送信する端末装置と、前記写真が撮影された時刻及び位置を認証する認証データを生成する認証センタ装置と、時期を指定する時期データと場所を指定する場所データと前記認証データとのいずれかを入力して送信する電子日誌管理装置とを備える電子日誌管理システムとネットワークを介して接続されるコンピュータに実行させるアーカイブサーバプログラムであって、
コンピュータが有する第１のサーバ受信部が、前記端末装置により送信された写真を、前記ネットワークを介して受信する第１のサーバ受信ステップと、
コンピュータが有するサーバ記憶部が、前記第１のサーバ受信ステップにより受信された写真と前記認証センタ装置により生成された認証データとを対応付けて記憶装置に記憶するサーバ記憶ステップと、
コンピュータが有する第２のサーバ受信部が、前記電子日誌管理装置により送信されたデータを、前記ネットワークを介して受信する第２のサーバ受信ステップと、
コンピュータが有する抽出部が、前記第２のサーバ受信ステップにより受信されたデータに対応する写真と認証データとを前記記憶装置から抽出する抽出ステップと、
コンピュータが有するサーバ送信部が、前記抽出ステップにより抽出された写真と前記抽出ステップにより抽出された認証データが認証する時刻及び位置を示す時刻位置データとを、前記ネットワークを介して前記電子日誌管理装置に送信するサーバ送信ステップとをコンピュータに実行させることを特徴とするアーカイブサーバプログラム。
【請求項７】
写真を撮影して入力する第１の端末入力部と、前記第１の端末入力部により入力された写真を送信する第１の端末送信部とを有する端末装置と、
前記写真が撮影された時刻及び位置を認証する認証データを生成する認証生成部を有する認証センタ装置と、
前記端末装置が有する第１の端末送信部により送信された写真を受信する第１のサーバ受信部と、前記第１のサーバ受信部により受信された写真と前記認証センタ装置が有する認証生成部により生成された認証データとを対応付けて記憶装置に記憶するサーバ記憶部とを有するアーカイブサーバ装置と、
時期を指定する時期データと場所を指定する場所データと前記認証データとのいずれかを入力する管理入力部と、前記管理入力部により入力されたデータを送信する管理送信部とを有する電子日誌管理装置とを備え、
前記アーカイブサーバ装置は、さらに、前記電子日誌管理装置が有する管理送信部により送信されたデータを受信する第２のサーバ受信部と、前記第２のサーバ受信部により受信されたデータに対応する写真と認証データとを前記記憶装置から抽出する抽出部と、前記抽出部により抽出された写真と前記抽出部により抽出された認証データが認証する時刻及び位置を示す時刻位置データとを送信するサーバ送信部とを有し、
前記電子日誌管理装置は、さらに、前記アーカイブサーバ装置が有するサーバ送信部により送信された写真と時刻位置データとを受信する管理受信部と、前記管理受信部により受信された写真と時刻位置データとを記憶する管理記憶部と、前記管理記憶部により記憶された写真と時刻位置データとを出力する管理出力部とを有することを特徴とする電子日誌管理システム。
【請求項８】
前記アーカイブサーバ装置が有する抽出部は、前記第２のサーバ受信部により前記時期データが受信された場合に、当該時期データが示す時期に対応する時刻を認証する認証データに対応する写真を抽出することを特徴とする請求項７に記載の電子日誌管理システム。
【請求項９】
前記電子日誌管理装置は、さらに、
任意のキーワードを入力するキーワード入力部と、
前記キーワード入力部により入力されたキーワードを当該キーワードに対応する時期を示す時期データに変換するキーワード変換部とを備え、
前記電子日誌管理装置が有する管理入力部は、前記キーワード変換部により変換された時期データを入力することを特徴とする請求項８に記載の電子日誌管理システム。
【請求項１０】
前記電子日誌管理装置は、さらに、
任意の期間を入力する期間入力部を備え、
前記電子日誌管理装置が有する管理入力部は、前記期間入力部により入力された期間を示す期間データを前記時期データとして入力し、
前記アーカイブサーバ装置が有する抽出部は、前記第２のサーバ受信部により前記期間データが前記時期データとして受信された場合に、当該期間データが示す範囲に含まれる時刻を認証する認証データに対応する写真を抽出することを特徴とする請求項８に記載の電子日誌管理システム。
【請求項１１】
前記アーカイブサーバ装置が有する抽出部は、前記第２のサーバ受信部により前記場所データが受信された場合に、当該場所データが示す場所に対応する位置を認証する認証データに対応する写真を抽出することを特徴とする請求項７に記載の電子日誌管理システム。
【請求項１２】
前記電子日誌管理装置は、さらに、
任意のキーワードを入力するキーワード入力部と、
前記キーワード入力部により入力されたキーワードを当該キーワードに対応する場所を示す場所データに変換するキーワード変換部とを備え、
前記電子日誌管理装置が有する管理入力部は、前記キーワード変換部により変換された場所データを入力することを特徴とする請求項１１に記載の電子日誌管理システム。
【請求項１３】
前記電子日誌管理装置は、さらに、
地図データを記憶する地図記憶部と、
前記地図記憶部により記憶された地図データを出力する地図出力部と、
前記地図出力部により出力された地図データ上の任意の範囲を選択する地図選択部とを備え、
前記電子日誌管理装置が有する管理入力部は、前記地図選択部により選択された範囲を示す範囲データを前記場所データとして入力し、
前記アーカイブサーバ装置が有する抽出部は、前記第２のサーバ受信部により前記範囲データが前記場所データとして受信された場合に、当該範囲データが示す範囲に含まれる位置を認証する認証データに対応する写真を抽出することを特徴とする請求項１１に記載の電子日誌管理システム。
【請求項１４】
前記端末装置は、さらに、自己の位置を示す位置データを入力する第２の端末入力部と、前記第２の端末入力部により入力された位置データを送信する第２の端末送信部とを有し、
前記認証センタ装置は、さらに、前記端末装置が有する第２の端末送信部により送信された位置データを受信する認証受信部を有し、
前記認証センタ装置が有する認証生成部は、現在時刻を示す時刻データと前記認証受信部により受信された位置データと前記時刻データが示す時刻又は前記位置データが示す位置でしか得られない一意の特定データとを合成して前記認証データを生成することを特徴とする請求項７に記載の電子日誌管理システム。
【請求項１５】
端末装置が、写真を撮影して入力する第１の端末入力ステップと、
前記端末装置が、前記第１の端末入力ステップにより入力された写真を送信する第１の端末送信ステップと、
認証センタ装置が、前記写真が撮影された時刻及び位置を認証する認証データを生成する認証生成ステップと、
アーカイブサーバ装置が、前記第１の端末送信ステップにより送信された写真を受信する第１のサーバ受信ステップと、
前記アーカイブサーバ装置が、前記第１のサーバ受信ステップにより受信された写真と前記認証生成ステップにより生成された認証データとを対応付けて記憶装置に記憶するサーバ記憶ステップと、
電子日誌管理装置が、時期を指定する時期データと場所を指定する場所データと前記認証データとのいずれかを入力する管理入力ステップと、
前記電子日誌管理装置が、前記管理入力ステップにより入力されたデータを送信する管理送信ステップと、
前記アーカイブサーバ装置が、前記管理送信ステップにより送信されたデータを受信する第２のサーバ受信ステップと、
前記アーカイブサーバ装置が、前記第２のサーバ受信ステップにより受信されたデータに対応する写真と認証データとを前記記憶装置から抽出する抽出ステップと、
前記アーカイブサーバ装置が、前記抽出ステップにより抽出された写真と前記抽出ステップにより抽出された認証データが認証する時刻及び位置を示す時刻位置データとを送信するサーバ送信ステップと、
前記電子日誌管理装置が、前記サーバ送信ステップにより送信された写真と時刻位置データとを受信する管理受信ステップと、
前記電子日誌管理装置が、前記管理受信ステップにより受信された写真と時刻位置データとを記憶する管理記憶ステップと、
前記電子日誌管理装置が、前記管理記憶ステップにより記憶された写真と時刻位置データとを出力する管理出力ステップとを備えることを特徴とする電子日誌管理方法。
【発明の詳細な説明】
【技術分野】
【０００１】
本発明は、電子日誌管理装置及び電子日誌管理プログラム及びアーカイブサーバ装置及びアーカイブサーバプログラム及び電子日誌管理システム及び電子日誌管理方法に関するものである。本発明は、特に、位置・時刻証明付き電子日誌に関するものである。
【背景技術】
【０００２】
時刻を認証する方法として、例えば、時刻を示す時刻情報と時刻情報の認証情報であり時刻の経過に伴って変化する経時変化情報（例えば、気象衛星から得られる雲画像などの気象データ）より合成情報を生成し、これを用いる方法が公知である（例えば、特許文献１参照）。位置を認証する方法についても同様である。実際にこのような方法を用いるサービス（位置時間証明情報提供サービス）として、例えば、ＣＯＣＯ−ＤＡＴＥＳ（登録商標）サービスがある（ウェブサイトＵＲＬ＜ｈｔｔｐ：／／ｗｗｗ．ｍｉｔｓｕｂｉｓｈｉｅｌｅｃｔｒｉｃ．ｃｏ．ｊｐ／ｃｏｃｏ−ｄａｔｅｓ／＞）。
【０００３】
従来、電子日誌などの管理に係るシステムとして、電子絵日記作成装置が、カメラ付き携帯電話から画像とメッセージを含む電子メールを受信し、受信した電子メールの送信者電子メール・アドレス及び日時ごとに画像とメッセージを電子絵日記データベースに格納するものがあった（例えば、特許文献２参照）。また、情報処理装置が、撮影装置から撮影画像と撮影場所を示す位置情報と撮影日時を示す時間情報とを受信し、受信した位置情報に基づいて、地図画像上の撮影場所にマーカを付けてマーカ付き地図画像を作成し、受信した時間情報に基づいて、撮影画像及びマーカ付き地図画像を含む日付毎のＷｅｂページを作成してネットワーク上に公開するものがあった（例えば、特許文献３参照）。また、ウェブサーバが、ユーザ通信端末から画像、コメントを受信し、受信した画像、コメントに対してアップロード単位及びユーザ単位でアップロード日時毎に参照可能にするページを自動的に生成するものがあった（例えば、特許文献４参照）。
【特許文献１】特開２００１−２９７０６２号公報
【特許文献２】特開２００３−１７３３０９号公報
【特許文献３】特開２００４−３２１２９号公報
【特許文献４】特開２００５−８４９０１号公報
【発明の開示】
【発明が解決しようとする課題】
【０００４】
従来の電子日誌は、写真を入れ込む場合に、撮影した写真をユーザが後から電子日誌に入力していたので、写真が多い場合には、撮影した日時を間違えてしまい、誤った日時の所に入力してしまうことがあった。また、過去に旅行をしたときの写真などを見たい場合に、旅行の日付を忘れてしまうと、写真を取り出すのに時間がかかってしまうことがあった。また、何か事件などが発生した場合に、写真に証明能力がなかったので、電子日誌を証拠として利用することができなかった。
【０００５】
また、上記のような従来のシステムでは、電子日誌の写真を、その写真が撮影された場所や時間とともに単に表示することはできたが、その場所や時間に関して誤りや偽りの情報を表示することを防止したり、そのような情報が表示されているかどうかを確認したりすることができないという課題があった。
【０００６】
本発明は、電子日誌の写真が撮影された場所や時間に関する情報の正確性や信頼性を向上させることを目的とする。
【課題を解決するための手段】
【０００７】
本発明に係る電子日誌管理装置は、
写真を撮影して送信する端末装置と、前記写真が撮影された時刻及び位置を認証する認証データを生成する認証センタ装置と、前記端末装置により送信された写真を受信し、当該写真と前記認証センタ装置により生成された認証データとを対応付けて記憶するアーカイブサーバ装置とを備える電子日誌管理システムとネットワークを介して接続される電子日誌管理装置であって、
時期を指定する時期データと場所を指定する場所データと前記認証データとのいずれかを入力装置により入力する管理入力部と、
前記管理入力部により入力されたデータを、前記ネットワークを介して送信する管理送信部と、
前記アーカイブサーバ装置が、前記管理送信部により送信されたデータを受信し、当該データに対応する写真と認証データとを抽出し、当該写真と当該認証データが認証する時刻及び位置を示す時刻位置データとを送信した場合に、前記アーカイブサーバ装置により送信された写真と時刻位置データとを、前記ネットワークを介して受信する管理受信部と、
前記管理受信部により受信された写真と時刻位置データとを記憶装置に記憶する管理記憶部と、
前記管理記憶部により記憶された写真と時刻位置データとを出力装置により出力する管理出力部とを有することを特徴とする。
【発明の効果】
【０００８】
本発明では、電子日誌管理装置において、アーカイブサーバ装置が、管理送信部により送信されたデータを受信し、当該データに対応する写真と認証データとを抽出し、当該写真と当該認証データが認証する時刻及び位置を示す時刻位置データとを送信した場合に、管理受信部が、アーカイブサーバ装置により送信された写真と時刻位置データとを、ネットワークを介して受信し、管理記憶部が、管理受信部により受信された写真と時刻位置データとを記憶装置に記憶し、管理出力部が、管理記憶部により記憶された写真と時刻位置データとを出力装置により出力することにより、電子日誌の写真が撮影された場所や時間に関する情報の正確性や信頼性が向上する。
【発明を実施するための最良の形態】
【０００９】
以下、本発明の実施の形態について、図を用いて説明する。
【００１０】
実施の形態１．
図１は、本実施の形態に係る電子日誌管理システム１００の概要を示す図である。
【００１１】
本実施の形態において、電子日誌管理システム１００は、端末装置２００、認証センタ装置３００、アーカイブサーバ装置４００、電子日誌管理装置５００を備える。端末装置２００は、例えば、ＧＰＳ（全地球測位システム）機能を備えたカメラ付き携帯電話機やデジタルカメラである。認証センタ装置３００、アーカイブサーバ装置４００は、認証センタ１０１に設置され、時刻及び位置を証明するサービスを提供するコンピュータである。電子日誌管理装置５００は、例えば、ＰＣ（パーソナルコンピュータ）である。端末装置２００、認証センタ装置３００、アーカイブサーバ装置４００、電子日誌管理装置５００は、移動通信網、ＷＡＮ（ワイドエリアネットワーク）、ＬＡＮ（ローカルエリアネットワーク）、インターネットなどのネットワークを介して互いに通信を行う。
【００１２】
例えば、ユーザが旅行先などで電子日誌１０３に入れる写真１０２を撮影する場合、ユーザは、端末装置２００を用いて、
（１）認証コードを認証センタ装置３００から取得する。
（２）写真１０２を撮影する。
（３）写真１０２に認証コードを付加して認証コード付き写真１０２を作成し、アーカイブサーバ装置４００に保存する。
【００１３】
上記（１）において、認証センタ装置３００は、後述するように、気象画像１０６を用いて、写真１０２が撮影された時刻及び位置を認証する認証コード（図１の例では、“ａｂｃｄｅｆｇｈｉｊｋｌ”）を生成する。上記（２）において、端末装置２００は、写真１０２をカメラで撮影する。上記（３）において、端末装置２００は、（認証コード付き）写真１０２を、ネットワークを介してアーカイブサーバ装置４００に送信する。アーカイブサーバ装置４００は、端末装置２００により送信された写真１０２を、ネットワークを介して受信し、受信した写真１０２と認証センタ装置３００により生成された認証コードとを対応付けてデータベース（図示していない）に記憶する。
【００１４】
上記（３）の後、ユーザは、端末装置２００又は電子日誌管理装置５００を用いて、
（４）電子日誌１０３に文章を入力する。
【００１５】
上記（４）において、端末装置２００又は電子日誌管理装置５００は、ユーザがキーやキーボードで入力した文章のテキストデータを電子日誌１０３に付加してメモリやディスク（図示していない）に記憶する。
【００１６】
上記（４）の後、ユーザは、電子日誌管理装置５００を用いて、
（５）（認証コード付き）写真１０２をアーカイブサーバ装置４００から電子日誌１０３にコピーする（アーカイブサーバ装置４００が自動的にコピーしてもよいし、電子日誌管理装置５００が自動的に又はユーザにより手動でコピーしてもよい）。
（６）電子日誌１０３に含まれる写真１０２から位置時刻検証画面１０４にリンクする。
（７）電子日誌１０３をＡＳＰ（Ａｐｐｌｉｃａｔｉｏｎ・Ｓｅｒｖｉｃｅ・Ｐｒｏｖｉｄｅｒ）のサービスとして利用可能にするため、電子日誌ＡＳＰサーバ１０７に電子日誌１０３を保存する。
【００１７】
上記（５）において、電子日誌管理装置５００は、日時のデータを入力し、入力したデータを、ネットワークを介してアーカイブサーバ装置４００に送信する。アーカイブサーバ装置４００は、電子日誌管理装置５００により送信された日時のデータを、ネットワークを介して受信し、受信したデータに対応する写真１０２（その日時に撮影された写真１０２）と認証コードとをデータベースから抽出し、抽出した写真１０２とともに、抽出した認証コードが認証する時刻及び位置を示す時刻位置データを、ネットワークを介して電子日誌管理装置５００に送信する。電子日誌管理装置５００は、アーカイブサーバ装置４００により送信された写真１０２と時刻位置データとを、ネットワークを介して受信する。上記（６）において、電子日誌管理装置５００は、受信した写真１０２と時刻位置データとを電子日誌１０３に付加してメモリやディスクに記憶する。そして、電子日誌１０３をメモリやディスクから読み取って画面に出力する。ここで、ユーザは、画面に出力された写真１０２に付加されている認証コードを電子日誌管理装置５００に入力して、電子日誌管理装置５００からアーカイブサーバ装置４００に送信し、入力した認証コードが認証する時刻及び位置をアーカイブサーバ装置４００に問い合わせてもよい。これにより、時刻位置データを検証することができる。また、電子日誌管理装置５００は、電子日誌１０３に含まれる写真１０２から位置時刻検証画面１０４にリンクを設定し、例えば、ユーザが写真１０２をクリックすると位置時刻検証画面１０４を表示する。位置時刻検証画面１０４は、例えば、ウェブブラウザにより表示される画面であり、写真１０２の認証コード、その認証コードが認証する時刻及び位置、その位置を表示する地図１０５、認証センタ装置３００が写真１０２の認証コードを生成するのに用いた気象画像１０６などを含む。上記（７）において、電子日誌管理装置５００は、テキストデータと写真１０２と時刻位置データとを含む電子日誌１０３を電子日誌ＡＳＰサーバ１０７に送信して、電子日誌ＡＳＰサーバ１０７のデータベースに保存する。
【００１８】
上記（５）において、電子日誌管理装置５００は、場所のデータを入力してもよい。この場合、アーカイブサーバ装置４００は、その場所で撮影された写真１０２と認証コードとをデータベースから抽出する。また、上記（５）において、電子日誌管理装置５００は、ユーザを一意に識別するユーザＩＤ（識別子）を入力してもよい。この場合、電子日誌管理装置５００は、ユーザＩＤを、ネットワークを介してアーカイブサーバ装置４００に送信する。アーカイブサーバ装置４００は、電子日誌管理装置５００により送信されたユーザＩＤを、ネットワークを介して受信し、受信したユーザＩＤに対応するユーザの写真１０２（そのユーザにより撮影された写真１０２）と認証コードとをデータベースから全て抽出し、抽出した写真１０２のそれぞれと、抽出した認証コードのそれぞれが認証する時刻及び位置を示す時刻位置データとを組み合わせにして、ネットワークを介して電子日誌管理装置５００に送信する。電子日誌管理装置５００は、アーカイブサーバ装置４００により送信された写真１０２と時刻位置データとの複数の組み合わせを、ネットワークを介して受信する。上記（６）において、電子日誌管理装置５００は、受信した写真１０２と時刻位置データとの複数の組み合わせを、例えば日時の順番で並べて電子日誌１０３に付加する。
【００１９】
図２は、端末装置２００の構成を示すブロック図である。
【００２０】
図２において、端末装置２００は、第１の端末入力部２１１、第１の端末送信部２１２、第２の端末入力部２１３、第２の端末送信部２１４を有する。また、端末装置２００は、記憶装置２０１、処理装置２０２、入力装置２０３、出力装置２０４などのハードウェア装置を備える（又はこれらのハードウェア装置が端末装置２００に接続される）。ハードウェア装置は端末装置２００の各部によって利用される。例えば、処理装置２０２は、端末装置２００の各部でデータや情報の演算、加工、読み取り、書き込みなどを行うために利用される。記憶装置２０１は、そのデータや情報を記憶するために利用される。また、入力装置２０３は、そのデータや情報を入力するために、出力装置２０４は、そのデータや情報を出力するために利用される。
【００２１】
第２の端末入力部２１３は、自己（端末装置２００）の位置を示す位置データを入力装置２０３により入力する。第２の端末送信部２１４は、第２の端末入力部２１３により入力された位置データを認証センタ装置３００に送信する。第１の端末入力部２１１は、写真（図１の例では、写真１０２）を入力装置２０３（図１の例では、カメラ）により撮影して入力する。第１の端末送信部２１２は、第１の端末入力部２１１により入力された写真をアーカイブサーバ装置４００に送信する。
【００２２】
図３は、認証センタ装置３００の構成を示すブロック図である。
【００２３】
図３において、認証センタ装置３００は、認証生成部３１１、認証受信部３１２を有する。また、認証センタ装置３００は、記憶装置３０１、処理装置３０２、入力装置３０３、出力装置３０４などのハードウェア装置を備える（又はこれらのハードウェア装置が認証センタ装置３００に接続される）。ハードウェア装置は認証センタ装置３００の各部によって利用される。例えば、処理装置３０２は、認証センタ装置３００の各部でデータや情報の演算、加工、読み取り、書き込みなどを行うために利用される。記憶装置３０１は、そのデータや情報を記憶するために利用される。また、入力装置３０３は、そのデータや情報を入力するために、出力装置３０４は、そのデータや情報を出力するために利用される。
【００２４】
認証受信部３１２は、端末装置２００により送信された位置データを受信する。認証生成部３１１は、現在時刻を示す時刻データと認証受信部３１２により受信された位置データと時刻データが示す時刻又は位置データが示す位置でしか得られない一意の特定データ（図１の例では、気象画像１０６）とを処理装置３０２により合成して、写真が撮影された時刻及び位置を認証する認証データ（図１の例では、認証コード）を生成する。
【００２５】
図４は、アーカイブサーバ装置４００の構成を示すブロック図である。
【００２６】
図４において、アーカイブサーバ装置４００は、第１のサーバ受信部４１１、サーバ記憶部４１２、第２のサーバ受信部４１３、抽出部４１４、サーバ送信部４１５を有する。また、アーカイブサーバ装置４００は、記憶装置４０１、処理装置４０２、入力装置４０３、出力装置４０４などのハードウェア装置を備える（又はこれらのハードウェア装置がアーカイブサーバ装置４００に接続される）。ハードウェア装置はアーカイブサーバ装置４００の各部によって利用される。例えば、処理装置４０２は、アーカイブサーバ装置４００の各部でデータや情報の演算、加工、読み取り、書き込みなどを行うために利用される。記憶装置４０１は、そのデータや情報を記憶するために利用される。また、入力装置４０３は、そのデータや情報を入力するために、出力装置４０４は、そのデータや情報を出力するために利用される。
【００２７】
第１のサーバ受信部４１１は、端末装置２００により送信された写真を受信する。サーバ記憶部４１２は、第１のサーバ受信部４１１により受信された写真と認証センタ装置３００により生成された認証データとを対応付けて記憶装置４０１（図１の例では、データベース）に記憶する。第２のサーバ受信部４１３は、電子日誌管理装置５００により送信されるデータとして、時期を示す時期データを受信する。抽出部４１４は、第２のサーバ受信部４１３により受信された時期データが示す時期に対応する時刻を認証する認証データと当該認証データに対応する写真とを記憶装置４０１から抽出する。サーバ送信部４１５は、抽出部４１４により抽出された認証データに基づき、当該認証データが認証する時刻及び位置を示す時刻位置データを処理装置４０２により生成する。そして、抽出部４１４により抽出された写真と生成した時刻位置データとを電子日誌管理装置５００に送信する。
【００２８】
図５は、電子日誌管理装置５００の構成を示すブロック図である。
【００２９】
図５において、電子日誌管理装置５００は、管理入力部５１１、管理送信部５１２、管理受信部５１３、管理記憶部５１４、管理出力部５１５、キーワード入力部５１６、キーワード変換部５１７を有する。また、電子日誌管理装置５００は、記憶装置５０１、処理装置５０２、入力装置５０３、出力装置５０４などのハードウェア装置を備える（又はこれらのハードウェア装置が電子日誌管理装置５００に接続される）。ハードウェア装置は電子日誌管理装置５００の各部によって利用される。例えば、処理装置５０２は、電子日誌管理装置５００の各部でデータや情報の演算、加工、読み取り、書き込みなどを行うために利用される。記憶装置５０１は、そのデータや情報を記憶するために利用される。また、入力装置５０３は、そのデータや情報を入力するために、出力装置５０４は、そのデータや情報を出力するために利用される。
【００３０】
キーワード入力部５１６は、任意のキーワードを入力装置５０３により入力する。キーワード変換部５１７は、キーワード入力部５１６により入力されたキーワードを当該キーワードに対応する時期（日時）を示す時期データに処理装置５０２により変換する。管理入力部５１１は、キーワード変換部５１７により変換された時期データを入力装置５０３により入力する。管理送信部５１２は、管理入力部５１１により入力された時期データをアーカイブサーバ装置４００に送信する。管理受信部５１３は、アーカイブサーバ装置４００により送信された写真と時刻位置データとを受信する。管理記憶部５１４は、管理受信部５１３により受信された写真と時刻位置データとを記憶装置５０１（図１の例では、自己のメモリやディスク又は電子日誌ＡＳＰサーバ１０７）に電子日誌（図１の例では、電子日誌１０３）の一部として記憶する。管理出力部５１５は、管理記憶部５１４により記憶された写真と時刻位置データとを出力装置５０４により出力する。
【００３１】
図６は、電子日誌管理システム１００が備える端末装置２００、認証センタ装置３００、アーカイブサーバ装置４００、電子日誌管理装置５００の外観の一例を示す図である。
【００３２】
図６において、端末装置２００、認証センタ装置３００、アーカイブサーバ装置４００、電子日誌管理装置５００は、システムユニット９１０、ＣＲＴ（Ｃａｔｈｏｄｅ・Ｒａｙ・Ｔｕｂｅ）やＬＣＤ（液晶ディスプレイ）の表示画面を有する表示装置９０１、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ装置９０６、スキャナ装置９０７などのハードウェア資源を備え、これらはケーブルや信号線で接続されている。システムユニット９１０は、コンピュータであり、電話機９３１、ファクシミリ機９３２（ＦＡＸ）とケーブルで接続され、また、ＬＡＮ９４２、ゲートウェイ９４１を介してインターネット９４０に接続されている。
【００３３】
図７は、端末装置２００、認証センタ装置３００、アーカイブサーバ装置４００、電子日誌管理装置５００のハードウェア資源の一例を示す図である。
【００３４】
図７において、端末装置２００、認証センタ装置３００、アーカイブサーバ装置４００、電子日誌管理装置５００は、プログラムを実行するＣＰＵ９１１（Ｃｅｎｔｒａｌ・Ｐｒｏｃｅｓｓｉｎｇ・Ｕｎｉｔ）（「中央処理装置」、「演算装置」、「マイクロプロセッサ」、「マイクロコンピュータ」、「プロセッサ」ともいう）を備えている。ＣＰＵ９１１は、処理装置の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０と接続され、これらのハードウェアデバイスを制御する。磁気ディスク装置９２０の代わりに、光ディスク装置、メモリカードリーダライタなどの記憶媒体が用いられてもよい。
【００３５】
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置の一例である。通信ボード９１５、キーボード９０２、スキャナ装置９０７、ＦＤＤ９０４などは、入力装置の一例である。また、通信ボード９１５、表示装置９０１、プリンタ装置９０６などは、出力装置の一例である。
【００３６】
通信ボード９１５は、電話機９３１、ファクシミリ機９３２、ＬＡＮ９４２などに接続されている。通信ボード９１５は、ＬＡＮ９４２に限らず、インターネット９４０、ＩＳＤＮ（Ｉｎｔｅｇｒａｔｅｄ・Ｓｅｒｖｉｃｅｓ・Ｄｉｇｉｔａｌ・Ｎｅｔｗｏｒｋ）などのＷＡＮなどに接続されていても構わない。インターネット９４０あるいはＷＡＮなどに接続されている場合、ゲートウェイ９４１は不要となる。
【００３７】
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」、「〜手段」として説明する機能を実行するプログラムが記憶されている。プログラムは、ＣＰＵ９１１により読み出され実行される。また、ファイル群９２４には、本実施の形態の説明において、「〜データ」、「〜情報」、「〜ＩＤ（ＩＤｅｎｔｉｆｉｅｒ）」、「〜フラグ」、「〜結果」として説明するデータや情報や信号値や変数値やパラメータが、「〜ファイル」や「〜データベース」や「〜テーブル」の各項目として記憶されている。「〜ファイル」や「〜データベース」や「〜テーブル」は、ディスクやメモリなどの記憶媒体に記憶される。ディスクやメモリなどの記憶媒体に記憶されたデータや情報や信号値や変数値やパラメータは、読み書き回路を介してＣＰＵ９１１によりメインメモリやキャッシュメモリに読み出され、抽出・検索・参照・比較・演算・計算・制御・出力・印刷・表示などのＣＰＵ９１１の処理（動作）に用いられる。抽出・検索・参照・比較・演算・計算・制御・出力・印刷・表示などのＣＰＵ９１１の処理中、データや情報や信号値や変数値やパラメータは、メインメモリやキャッシュメモリやバッファメモリに一時的に記憶される。
【００３８】
また、本実施の形態の説明において説明するブロック図やフローチャートの矢印の部分は主としてデータや信号の入出力を示し、データや信号は、ＲＡＭ９１４などのメモリ、ＦＤＤ９０４のフレキシブルディスク（ＦＤ）、ＣＤＤ９０５のコンパクトディスク（ＣＤ）、磁気ディスク装置９２０の磁気ディスク、その他光ディスク、ミニディスク（ＭＤ）、ＤＶＤ（Ｄｉｇｉｔａｌ・Ｖｅｒｓａｔｉｌｅ・Ｄｉｓｃ）などの記録媒体に記録される。また、データや信号は、バス９１２や信号線やケーブルその他の伝送媒体によりオンライン伝送される。
【００３９】
また、本実施の形態の説明において「〜部」、「〜手段」として説明するものは、「〜回路」、「〜装置」、「〜機器」であってもよく、また、「〜ステップ」、「〜工程」、「〜手順」、「〜処理」であってもよい。すなわち、「〜部」、「〜手段」として説明するものは、ＲＯＭ９１３に記憶されたファームウェアで実現されていても構わない。あるいは、ソフトウェアのみ、あるいは、素子・デバイス・基板・配線などのハードウェアのみ、あるいは、ソフトウェアとハードウェアとの組み合わせ、さらには、ファームウェアとの組み合わせで実現されていても構わない。ファームウェアとソフトウェアは、プログラムとして、磁気ディスク、フレキシブルディスク、光ディスク、コンパクトディスク、ミニディスク、ＤＶＤなどの記録媒体に記憶される。このプログラムはＣＰＵ９１１により読み出され、ＣＰＵ９１１により実行される。即ち、プログラムは、本実施の形態の説明で述べる「〜部」、「〜手段」としてコンピュータを機能させるものである。あるいは、本実施の形態の説明で述べる「〜部」、「〜手段」の手順や方法をコンピュータに実行させるものである。
【００４０】
図８、図９は、電子日誌管理システム１００の動作（電子日誌管理方法）を示すフローチャートである。以下では、図１に示した電子日誌管理システム１００を例にして説明する。
【００４１】
図８に示すように、端末装置２００において、第２の端末入力部２１３は、ＧＰＳ衛星から所在地（経度及び緯度）を示す測位データ（位置データの一例）をＧＰＳアンテナ（入力装置２０３の一例）により受信して入力する（ステップＳ２０１：第２の端末入力ステップ）。第２の端末送信部２１４は、第２の端末入力部２１３により入力された測位データを認証センタ装置３００に送信して認証コード（認証データの一例）の発行を要求する（ステップＳ２０２：第２の端末送信ステップ）。認証センタ装置３００において、認証受信部３１２は、端末装置２００により送信された測位データを受信する（ステップＳ３０１：認証受信ステップ）。認証生成部３１１は、気象庁や日本気象協会のサーバなどから気象衛星画像を取得し（日本気象協会は、気象庁が気象衛星から受信した雲の画像を一般に公開している）、取得した気象衛星画像を符号化（ハッシュ）して気象データ（気象衛星画像のハッシュ値）（時刻データが示す時刻にしか得られない一意の特定データの一例）を生成する。そして、現在時刻を示す時刻データと認証受信部３１２により受信された測位データと気象データとをＣＰＵ（処理装置３０２の一例）により組み合わせてハッシュ関数で数値化することで、認証コードを生成する。認証生成部３１１は、生成した認証コードを端末装置２００に発行（送信）する（ステップＳ３０２：認証生成ステップ）。
【００４２】
ステップＳ２０１で、端末装置２００が有する第２の端末入力部２１３は、ＧＰＳ衛星から時刻データを受信して入力してもよい。この場合、ステップＳ２０２で、第２の端末送信部２１４は、第２の端末入力部２１３により入力された時刻データを認証センタ装置３００に送信する。ステップＳ３０１で、認証センタ装置３００が有する認証受信部３１２は、端末装置２００により送信された時刻データを受信する。ステップＳ３０２で、認証生成部３１１は、認証受信部３１２により受信された時刻データと測位データと気象衛星画像のハッシュ値とを合成して、認証コードを生成する。このとき、認証生成部３１１は、自己のシステム時計を予めＮＩＣＴ（情報通信研究機構）の時刻サーバなどから発信されている国家標準時に同期させておき、端末装置２００から受信した時刻データが不正なものでないかどうかを確認してもよい。
【００４３】
また、ステップＳ３０２で、認証センタ装置３００が有する認証生成部３１１は、さらに、気温、湿度、気圧、高度、風速などの自然現象データ（位置データが示す位置でしか得られない一意の特定データの一例）を認証コードに組み合わせてもよい。認証生成部３１１は、さらに、チェックサム、ハミングコード、ＣＲＣ（Ｃｙｃｌｉｃ・Ｒｅｄｕｎｄａｎｃｙ・Ｃｈｅｃｋ）、電子署名、ＨＭＡＣ（Ｋｅｙｅｄ−Ｈａｓｈｉｎｇ・ｆｏｒ・Ｍｅｓｓａｇｅ・Ａｕｔｈｅｎｔｉｃａｔｉｏｎ）などの改竄検知コードを認証コードに組み合わせてもよい。
【００４４】
端末装置２００において、第１の端末入力部２１１は、認証センタ装置３００により生成された認証コードを取得（受信）する。また、第１の端末入力部２１１は、写真１０２をカメラ（入力装置２０３の一例）により撮影する（ステップＳ２０３）。そして、撮影した写真１０２に認証センタ装置３００から取得した認証コードを付加して（例えば、写真１０２の中に認証コードを書き込む）、認証コード付きの写真１０２を入力する（ステップＳ２０４）（ステップＳ２０３〜Ｓ２０４：第１の端末入力ステップ）。第１の端末送信部２１２は、第１の端末入力部２１１により入力された写真１０２をアーカイブサーバ装置４００に送信する（ステップＳ２０５：第１の端末送信ステップ）。アーカイブサーバ装置４００において、第１のサーバ受信部４１１は、認証センタ装置３００により生成された認証コードを取得（受信）する。また、第１のサーバ受信部４１１は、端末装置２００により送信された写真１０２を受信する（ステップＳ４０１：第１のサーバ受信ステップ）。サーバ記憶部４１２は、第１のサーバ受信部４１１により受信された写真１０２と認証コードとを対応付けてデータベース（記憶装置４０１の一例）に記憶する（ステップＳ４０２：サーバ記憶ステップ）。
【００４５】
ステップＳ４０２で、アーカイブサーバ装置４００が有するサーバ記憶部４１２は、第１のサーバ受信部４１１が認証センタ装置３００から認証コードを取得してから所定の時間内（例えば、１分以内）に端末装置２００から写真１０２を受信しなければ、写真１０２をデータベースに記憶しないようにしてもよい。この場合、ステップＳ２０５で、端末装置２００が有する第１の端末送信部２１２は、第１の端末入力部２１１が認証センタ装置３００から認証コードを取得してから所定の時間内に認証コード付きの写真１０２をアーカイブサーバ装置４００に送信しなければならない。ここで、写真１０２に付加される認証コードの形態は、図１に示すようなテキストデータであってもよいし、ＱＲコード（登録商標）やその他の二次元バーコードであってもよい。
【００４６】
図９に示すように、電子日誌管理装置５００において、キーワード入力部５１６は、任意のキーワードをキーボード（入力装置５０３の一例）により入力する（ステップＳ５０１：キーワード入力ステップ）。キーワード変換部５１７は、キーワード入力部５１６により入力されたキーワードを当該キーワードに対応する時期（日時）を示す時期データにＣＰＵ（処理装置５０２の一例）により変換する（ステップＳ５０２：キーワード変換ステップ）。管理入力部５１１は、キーワード変換部５１７により変換された時期データを入力する（ステップＳ５０３：管理入力ステップ）。管理送信部５１２は、管理入力部５１１により入力された時期データをアーカイブサーバ装置４００に送信する（ステップＳ５０４：管理送信ステップ）。アーカイブサーバ装置４００において、第２のサーバ受信部４１３は、電子日誌管理装置５００により送信された時期データを受信する（ステップＳ４０３：第２のサーバ受信ステップ）。抽出部４１４は、第２のサーバ受信部４１３により受信された時期データが示す時期に対応する時刻を認証する認証コードと当該認証コードに対応する写真１０２とをデータベースから抽出する（ステップＳ４０４：抽出ステップ）。サーバ送信部４１５は、抽出部４１４により抽出された認証コードに基づき、その認証コードが認証する時刻及び位置を示す時刻位置データをＣＰＵ（処理装置４０２の一例）により生成する。そして、抽出部４１４により抽出された写真１０２と生成した時刻位置データとを電子日誌管理装置５００に送信する（ステップ４０５：サーバ送信ステップ）。電子日誌管理装置５００において、管理受信部５１３は、アーカイブサーバ装置４００により送信された写真１０２と時刻位置データとを受信する（ステップＳ５０５：管理受信ステップ）。管理記憶部５１４は、管理受信部５１３により受信された写真１０２と時刻位置データとを電子日誌１０３の一部としてハードディスク装置（記憶装置５０１の一例）に記憶する（ステップＳ５０６：管理記憶ステップ）。管理出力部５１５は、管理記憶部５１４により記憶された写真１０２と時刻位置データとを表示する電子日誌１０３をＬＣＤ（出力装置５０４の一例）により出力する（ステップＳ５０７：管理出力ステップ）。
【００４７】
以上のように、本実施の形態では、アーカイブサーバ装置４００において、第２のサーバ受信部４１３が電子日誌管理装置５００により送信された時期データを受信し、抽出部４１４が第２のサーバ受信部４１３により受信された時期データが示す時期に対応する時刻を認証する認証データと当該認証データに対応する写真とを記憶装置４０１から抽出し、サーバ送信部４１５が抽出部４１４により抽出された写真と抽出部４１４により抽出された認証データが認証する時刻及び位置を示す時刻位置データとを送信する。そして、電子日誌管理装置５００において、管理受信部５１３がアーカイブサーバ装置４００により送信された写真と時刻位置データとを受信し、管理記憶部５１４が管理受信部５１３により受信された写真と時刻位置データとを記憶し、管理出力部５１５が管理記憶部５１４により記憶された写真と時刻位置データとを出力する。これにより、電子日誌を作成する場合に、日時を指定するだけで、その日時に撮影した写真とその写真を撮影した正確な場所を電子日誌に入力できるため、電子日誌の作成や管理を容易に行うことが可能となる。
【００４８】
実施の形態２．
本実施の形態について、主に実施の形態１との差異を説明する。
【００４９】
本実施の形態では、電子日誌管理システム１００が備える端末装置２００、認証センタ装置３００、アーカイブサーバ装置４００の構成は、図２〜４を用いて実施の形態１で説明したものと同様である。
【００５０】
図４において、アーカイブサーバ装置４００が有する第２のサーバ受信部４１３は、電子日誌管理装置５００により送信される時期データとして、期間を示す期間データを受信する。抽出部４１４は、第２のサーバ受信部４１３により受信された期間データが示す範囲に含まれる時刻を認証する認証データと当該認証データに対応する写真とを記憶装置４０１から抽出する。
【００５１】
図１０は、電子日誌管理装置５００の構成を示すブロック図である。
【００５２】
図１０において、電子日誌管理装置５００は、実施の形態１で説明した図５と同様に、管理入力部５１１、管理送信部５１２、管理受信部５１３、管理記憶部５１４、管理出力部５１５を有するほか、期間入力部５１８を有する。期間入力部５１８は、任意の期間を入力装置５０３により入力する。管理入力部５１１は、期間入力部５１８により入力された期間を示す期間データを時期データとして入力する。
【００５３】
本実施の形態では、電子日誌管理システム１００の動作は、図８を用いて実施の形態１で説明したものと同様である。以下では、その後の動作について説明する。
【００５４】
図１１は、電子日誌管理システム１００の動作（電子日誌管理方法）を示すフローチャートである。実施の形態１と同様に、以下では、図１に示した電子日誌管理システム１００を例にして説明する。
【００５５】
図１１に示すように、電子日誌管理装置５００において、期間入力部５１８は、任意の期間（例えば、日、週、月、年など）をキーボード（入力装置５０３の一例）により入力する（ステップＳ５１１：期間入力ステップ）。管理入力部５１１は、期間入力部５１８により入力された期間を示す期間データを時期データとして入力する（ステップＳ５１２：管理入力ステップ）。管理送信部５１２は、管理入力部５１１により入力された期間データ（時期データ）をアーカイブサーバ装置４００に送信する（ステップＳ５１３：管理送信ステップ）。アーカイブサーバ装置４００において、第２のサーバ受信部４１３は、電子日誌管理装置５００により送信された期間データ（時期データ）を受信する（ステップＳ４０３：第２のサーバ受信ステップ）。抽出部４１４は、第２のサーバ受信部４１３により受信された期間データ（時期データ）が示す範囲に含まれる時刻を認証する認証コード（認証データの一例）と当該認証コードに対応する写真１０２とをデータベースから全て抽出する（ステップＳ４０４：抽出ステップ）。サーバ送信部４１５は、抽出部４１４により抽出された認証コードに基づき、それぞれの認証コードが認証する時刻及び位置を示す時刻位置データをＣＰＵ（処理装置４０２の一例）により生成する。そして、抽出部４１４により抽出された写真１０２と生成した時刻位置データとの複数の組み合わせを電子日誌管理装置５００に送信する（ステップ４０５：サーバ送信ステップ）。電子日誌管理装置５００において、管理受信部５１３は、アーカイブサーバ装置４００により送信された写真１０２と時刻位置データとの複数の組み合わせを受信する（ステップＳ５１４：管理受信ステップ）。管理記憶部５１４は、管理受信部５１３により受信された写真１０２と時刻位置データとの複数の組み合わせを電子日誌１０３の一部としてハードディスク装置（記憶装置５０１の一例）に記憶する（ステップＳ５１５：管理記憶ステップ）。管理出力部５１５は、管理記憶部５１４により記憶された写真１０２と時刻位置データとを組み合わせごとに表示する電子日誌１０３をＬＣＤ（出力装置５０４の一例）により出力する（ステップＳ５１６：管理出力ステップ）。
【００５６】
以上のように、本実施の形態では、電子日誌管理装置５００において、期間入力部５１８が任意の期間を入力し、管理入力部５１１が期間入力部５１８により入力された期間を示す期間データを時期データとして入力する。そして、アーカイブサーバ装置４００において、抽出部４１４が第２のサーバ受信部４１３により受信された期間データが示す範囲に含まれる時刻を認証する認証データに対応する写真を抽出する。これにより、電子日誌を作成する場合に、期間を指定するだけで、その期間中に撮影した写真とその写真を撮影した正確な場所を全て電子日誌に入力できるため、電子日誌の作成や管理をさらに容易に行うことが可能となる。
【００５７】
実施の形態３．
本実施の形態について、主に実施の形態１との差異を説明する。
【００５８】
本実施の形態では、電子日誌管理システム１００が備える端末装置２００、認証センタ装置３００、アーカイブサーバ装置４００、電子日誌管理装置５００の構成は、図２〜５を用いて実施の形態１で説明したものと同様である。
【００５９】
図４において、アーカイブサーバ装置４００が有する第２のサーバ受信部４１３は、電子日誌管理装置５００により送信されるデータとして、場所を示す場所データを受信する。抽出部４１４は、第２のサーバ受信部４１３により受信された場所データが示す場所に対応する位置を認証する認証データと当該認証データに対応する写真とを記憶装置４０１から抽出する。
【００６０】
図５において、電子日誌管理装置５００が有するキーワード変換部５１７は、キーワード入力部５１６により入力されたキーワードを当該キーワードに対応する場所を示す場所データに処理装置５０２により変換する。管理入力部５１１は、キーワード変換部５１７により変換された場所データを入力装置５０３により入力する。管理送信部５１２は、管理入力部５１１により入力された場所データをアーカイブサーバ装置４００に送信する。
【００６１】
本実施の形態では、電子日誌管理システム１００の動作は、図８を用いて実施の形態１で説明したものと同様である。以下では、その後の動作について説明する。
【００６２】
図１２は、電子日誌管理システム１００の動作（電子日誌管理方法）を示すフローチャートである。実施の形態１と同様に、以下では、図１に示した電子日誌管理システム１００を例にして説明する。
【００６３】
図１２に示すように、電子日誌管理装置５００において、キーワード入力部５１６は、任意のキーワードをキーボード（入力装置５０３の一例）により入力する（ステップＳ５２１：キーワード入力ステップ）。キーワード変換部５１７は、キーワード入力部５１６により入力されたキーワードを当該キーワードに対応する場所を示す場所データにＣＰＵ（処理装置５０２の一例）により変換する（ステップＳ５２２：キーワード変換ステップ）。管理入力部５１１は、キーワード変換部５１７により変換された場所データを入力する（ステップＳ５２３：管理入力ステップ）。管理送信部５１２は、管理入力部５１１により入力された場所データをアーカイブサーバ装置４００に送信する（ステップＳ５２４：管理送信ステップ）。アーカイブサーバ装置４００において、第２のサーバ受信部４１３は、電子日誌管理装置５００により送信された場所データを受信する（ステップＳ４２１：第２のサーバ受信ステップ）。抽出部４１４は、第２のサーバ受信部４１３により受信された場所データが示す場所に対応する位置を認証する認証コード（認証データの一例）と当該認証コードに対応する写真１０２とをデータベースから抽出する（ステップＳ４２２：抽出ステップ）。次のステップＳ４２３の動作は、実施の形態１で説明した図９のステップＳ４０５と同様である。電子日誌管理装置５００において、ステップＳ５２５〜Ｓ５２７の動作は、実施の形態１で説明した図９のステップＳ５０５〜Ｓ５０７と同様である。
【００６４】
以上のように、本実施の形態では、アーカイブサーバ装置４００において、第２のサーバ受信部４１３が電子日誌管理装置５００により送信された場所データを受信し、抽出部４１４が第２のサーバ受信部４１３により受信された場所データが示す場所に対応する位置を認証する認証データと当該認証データに対応する写真とを記憶装置４０１から抽出し、サーバ送信部４１５が抽出部４１４により抽出された写真と抽出部４１４により抽出された認証データが認証する時刻及び位置を示す時刻位置データとを送信する。そして、電子日誌管理装置５００において、管理受信部５１３がアーカイブサーバ装置４００により送信された写真と時刻位置データとを受信し、管理記憶部５１４が管理受信部５１３により受信された写真と時刻位置データとを記憶し、管理出力部５１５が管理記憶部５１４により記憶された写真と時刻位置データとを出力する。これにより、電子日誌を作成する場合に、場所を指定するだけで、その場所で撮影した写真とその写真を撮影した正確な日時を電子日誌に入力できるため、電子日誌の作成や管理を容易に行うことが可能となる。
【００６５】
実施の形態４．
本実施の形態について、主に実施の形態１との差異を説明する。
【００６６】
本実施の形態では、電子日誌管理システム１００が備える端末装置２００、認証センタ装置３００、アーカイブサーバ装置４００の構成は、図２〜４を用いて実施の形態１で説明したものと同様である。
【００６７】
図４において、アーカイブサーバ装置４００が有する第２のサーバ受信部４１３は、電子日誌管理装置５００により送信される場所データとして、範囲を示す範囲データを受信する。抽出部４１４は、第２のサーバ受信部４１３により受信された範囲データが示す範囲に含まれる位置を認証する認証データと当該認証データに対応する写真とを記憶装置４０１から抽出する。
【００６８】
図１３は、電子日誌管理装置５００の構成を示すブロック図である。
【００６９】
図１３において、電子日誌管理装置５００は、実施の形態１で説明した図５と同様に、管理入力部５１１、管理送信部５１２、管理受信部５１３、管理記憶部５１４、管理出力部５１５を有するほか、地図記憶部５１９、地図出力部５２０、地図選択部５２１を有する。地図記憶部５１９は、地図データを記憶装置５０１に記憶する。地図出力部５２０は、地図記憶部５１９により記憶された地図データを出力装置５０４により出力する。地図選択部５２１は、地図出力部５２０により出力された地図データ上の任意の範囲を入力装置５０３により選択する。管理入力部５１１は、地図選択部５２１により選択された範囲を示す範囲データを場所データとして入力装置５０３により入力する。
【００７０】
図１４は、電子日誌管理システム１００の動作（電子日誌管理方法）を示すフローチャートである。実施の形態１と同様に、以下では、図１に示した電子日誌管理システム１００を例にして説明する。
【００７１】
図１４に示すように、電子日誌管理装置５００において、地図記憶部５１９は、地図データをハードディスク装置（記憶装置５０１の一例）に記憶する（ステップＳ５３１：地図記憶ステップ）。地図出力部５２０は、地図記憶部５１９により記憶された地図データをＬＣＤ（出力装置５０４の一例）により出力する（ステップＳ５３２：地図出力ステップ）。地図選択部５２１は、地図出力部５２０により出力された地図データ上の任意の範囲（例えば、地図上の座標、緯度及び経度、地域など）をマウス（入力装置５０３の一例）により選択する（ステップＳ５３３：地図選択ステップ）。管理入力部５１１は、地図選択部５２１により選択された範囲を示す範囲データを場所データとして入力する（ステップＳ５３４：管理入力ステップ）。管理送信部５１２は、管理入力部５１１により入力された範囲データ（場所データ）をアーカイブサーバ装置４００に送信する（ステップＳ５３５：管理送信ステップ）。アーカイブサーバ装置４００において、第２のサーバ受信部４１３は、電子日誌管理装置５００により送信された範囲データ（場所データ）を受信する（ステップＳ４２１：第２のサーバ受信ステップ）。抽出部４１４は、第２のサーバ受信部４１３により受信された範囲データ（場所データ）が示す範囲に含まれる位置を認証する認証コード（認証データの一例）と当該認証コードに対応する写真１０２とをデータベースから全て抽出する（ステップＳ４２２：抽出ステップ）。サーバ送信部４１５は、抽出部４１４により抽出された認証コードに基づき、それぞれの認証コードが認証する時刻及び位置を示す時刻位置データをＣＰＵ（処理装置４０２の一例）により生成する。そして、抽出部４１４により抽出された写真１０２と生成した時刻位置データとの複数の組み合わせを電子日誌管理装置５００に送信する（ステップ４２３：サーバ送信ステップ）。電子日誌管理装置５００において、管理受信部５１３は、アーカイブサーバ装置４００により送信された写真１０２と時刻位置データとの複数の組み合わせを受信する（ステップＳ５３６：管理受信ステップ）。管理記憶部５１４は、管理受信部５１３により受信された写真１０２と時刻位置データとの複数の組み合わせを電子日誌１０３の一部としてハードディスク装置に記憶する（ステップＳ５３７：管理記憶ステップ）。管理出力部５１５は、管理記憶部５１４により記憶された写真１０２と時刻位置データとを組み合わせごとに表示する電子日誌１０３をＬＣＤにより出力する（ステップＳ５３８：管理出力ステップ）。
【００７２】
以上のように、本実施の形態では、電子日誌管理装置５００において、地図記憶部５１９が地図データを記憶し、地図出力部５２０が地図記憶部５１９により記憶された地図データを出力し、地図選択部５２１が地図出力部５２０により出力された地図データ上の任意の範囲を選択し、管理入力部５１１が地図選択部５２１により選択された範囲を示す範囲データを場所データとして入力する。そして、アーカイブサーバ装置４００において、抽出部４１４が第２のサーバ受信部４１３により受信された範囲データが示す範囲に含まれる位置を認証する認証データに対応する写真を抽出する。これにより、電子日誌を作成する場合に、場所の範囲を指定するだけで、その範囲内で撮影した写真とその写真を撮影した正確な日時を全て電子日誌に入力できるため、電子日誌の作成や管理をさらに容易に行うことが可能となる。
【００７３】
実施の形態５．
本実施の形態について、主に実施の形態１との差異を説明する。
【００７４】
本実施の形態では、電子日誌管理システム１００が備える端末装置２００、認証センタ装置３００、アーカイブサーバ装置４００、電子日誌管理装置５００の構成は、図２〜５を用いて実施の形態１で説明したものと同様である。
【００７５】
図４において、アーカイブサーバ装置４００が有する第２のサーバ受信部４１３は、電子日誌管理装置５００により送信されるデータとして、認証データを受信する。抽出部４１４は、第２のサーバ受信部４１３により受信された認証データに対応する写真を記憶装置４０１から抽出する。
【００７６】
図５において、電子日誌管理装置５００が有する管理入力部５１１は、認証データを入力装置５０３により入力する。管理送信部５１２は、管理入力部５１１により入力された認証データをアーカイブサーバ装置４００に送信する。
【００７７】
本実施の形態では、電子日誌管理システム１００の動作は、図８を用いて実施の形態１で説明したものと同様である。以下では、その後の動作について説明する。
【００７８】
図１５は、電子日誌管理システム１００の動作（電子日誌管理方法）を示すフローチャートである。実施の形態１と同様に、以下では、図１に示した電子日誌管理システム１００を例にして説明する。
【００７９】
図１５に示すように、電子日誌管理装置５００において、管理入力部５１１は、認証センタ装置３００により生成された認証コード（認証データの一例）をキーボードやバーコードリーダ（入力装置５０３の一例）により入力する（ステップＳ５４１：管理入力ステップ）。管理送信部５１２は、管理入力部５１１により入力された認証コードをアーカイブサーバ装置４００に送信する（ステップＳ５４２：管理送信ステップ）。アーカイブサーバ装置４００において、第２のサーバ受信部４１３は、電子日誌管理装置５００により送信された認証コードを受信する（ステップＳ４４１：第２のサーバ受信ステップ）。抽出部４１４は、第２のサーバ受信部４１３により受信された認証コードに対応する写真１０２をデータベースから抽出する（ステップＳ４４２：抽出ステップ）。次のステップＳ４４３の動作は、実施の形態１で説明した図９のステップＳ４０５と同様である。電子日誌管理装置５００において、ステップＳ５４３〜Ｓ５４５の動作は、実施の形態１で説明した図９のステップＳ５０５〜Ｓ５０７と同様である。
【００８０】
以上のように、本実施の形態では、アーカイブサーバ装置４００において、第２のサーバ受信部４１３が電子日誌管理装置５００により送信された認証データを受信し、抽出部４１４が第２のサーバ受信部４１３により受信された認証データに対応する写真を記憶装置４０１から抽出し、サーバ送信部４１５が抽出部４１４により抽出された写真と抽出部４１４により抽出された認証データが認証する時刻及び位置を示す時刻位置データとを送信する。そして、電子日誌管理装置５００において、管理受信部５１３がアーカイブサーバ装置４００により送信された写真と時刻位置データとを受信し、管理記憶部５１４が管理受信部５１３により受信された写真と時刻位置データとを記憶し、管理出力部５１５が管理記憶部５１４により記憶された写真と時刻位置データとを出力する。これにより、電子日誌を作成する場合に、写真とその写真を撮影した正確な日時及び場所を電子日誌に入力できるため、電子日誌の写真が撮影された場所や時間に関する情報の正確性や信頼性が向上する。
【図面の簡単な説明】
【００８１】
【図１】実施の形態１に係る電子日誌管理システムの概要を示す図である。
【図２】実施の形態１に係る端末装置の構成を示すブロック図である。
【図３】実施の形態１に係る認証センタ装置の構成を示すブロック図である。
【図４】実施の形態１に係るアーカイブサーバ装置の構成を示すブロック図である。
【図５】実施の形態１に係る電子日誌管理装置の構成を示すブロック図である。
【図６】実施の形態１における電子日誌管理システムが備える装置の外観の一例を示す図である。
【図７】実施の形態１における電子日誌管理システムが備える装置のハードウェア資源の一例を示す図である。
【図８】実施の形態１に係る電子日誌管理システムの動作を示すフローチャートである。
【図９】実施の形態１に係る電子日誌管理システムの動作を示すフローチャートである。
【図１０】実施の形態２に係る電子日誌管理装置の構成を示すブロック図である。
【図１１】実施の形態２に係る電子日誌管理システムの動作を示すフローチャートである。
【図１２】実施の形態３に係る電子日誌管理システムの動作を示すフローチャートである。
【図１３】実施の形態４に係る電子日誌管理装置の構成を示すブロック図である。
【図１４】実施の形態４に係る電子日誌管理システムの動作を示すフローチャートである。
【図１５】実施の形態５に係る電子日誌管理システムの動作を示すフローチャートである。
【符号の説明】
【００８２】
１００  電子日誌管理システム、１０１  認証センタ、１０２  写真、１０３  電子日誌、１０４  位置時刻検証画面、１０５  地図、１０６  気象画像、１０７  電子日誌ＡＳＰサーバ、２００  端末装置、２０１  記憶装置、２０２  処理装置、２０３  入力装置、２０４  出力装置、２１１  第１の端末入力部、２１２  第１の端末送信部、２１３  第２の端末入力部、２１４  第２の端末送信部、３００  認証センタ装置、３０１  記憶装置、３０２  処理装置、３０３  入力装置、３０４  出力装置、３１１  認証生成部、３１２  認証受信部、４００  アーカイブサーバ装置、４０１  記憶装置、４０２  処理装置、４０３  入力装置、４０４  出力装置、４１１  第１のサーバ受信部、４１２  サーバ記憶部、４１３  第２のサーバ受信部、４１４  抽出部、４１５  サーバ送信部、５００  電子日誌管理装置、５０１  記憶装置、５０２  処理装置、５０３  入力装置、５０４  出力装置、５１１  管理入力部、５１２  管理送信部、５１３  管理受信部、５１４  管理記憶部、５１５  管理出力部、５１６  キーワード入力部、５１７  キーワード変換部、５１８  期間入力部、５１９  地図記憶部、５２０  地図出力部、５２１  地図選択部、９０１  表示装置、９０２  キーボード、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  オペレーティングシステム、９２２  ウィンドウシステム、９２３  プログラム群、９２４  ファイル群、９３１  電話機、９３２  ファクシミリ機、９４０  インターネット、９４１  ゲートウェイ、９４２  ＬＡＮ。
【図１】
2008009655.tif 000003
【図２】
2008009655.tif 000004
【図３】
2008009655.tif 000005
【図４】
2008009655.tif 000006
【図５】
2008009655.tif 000007
【図６】
2008009655.tif 000008
【図７】
2008009655.tif 000009
【図８】
2008009655.tif 000010
【図９】
2008009655.tif 000011
【図１０】
2008009655.tif 000012
【図１１】
2008009655.tif 000013
【図１２】
2008009655.tif 000014
【図１３】
2008009655.tif 000015
【図１４】
2008009655.tif 000016
【図１５】
2008009655.tif 000017